(57)【要約】【課題】線材を用いて厚い物体を挟み込め、簡単な構成で経済的な塗布具用クリップを提供する。【解決手段】線材で構成された塗布具用クリップにおいて、前記塗布具内部には、前記クリップを径方向に移動可能に収容する空間を有し、前記空間内でクリップが径方向に移動することにより、前記塗布具の外面から露出した部分が前記塗布具の径方向に移動する構造になっている。【選択図】図１
2017024196.tif 000002
【特許請求の範囲】
【請求項１】
線材で構成されたクリップからなる塗布具用クリップにおいて、
前記塗布具の内部には、前記クリップを径方向に移動可能に収容する空間を有し、
前記空間内でクリップが径方向に移動することにより、前記塗布具の外面から露出した部分が前記塗布具の径方向に移動する構造になっていることを特徴とする塗布具用クリップ。
【請求項２】
前記塗布具において、クリップを装着する部分が、本体と天冠とを有しており、本体と天冠とで構成される空間がクリップを径方向に移動可能にする空間となっていることを特徴とする請求項１に記載の塗布具用クリップ。
【請求項３】
前記塗布具は、その軸筒の先端に筆記部が設けられ、その筆記部を覆うキャップが前記軸筒に着脱自在に設けられており、
前記キャップの本体と天冠で構成される空間が、クリップを径方向に移動可能にする空間となっていることを特徴とする請求項２に記載の塗布具用クリップ。
【請求項４】
前記クリップは、端部が複数箇所に分かれており、当該端の一箇所が移動可能に塗布具に装着され、当該端部の他箇所が弾性変形可能に塗布具に装着されていることを特徴とする請求項１から３のうちの１項に記載の塗布具用クリップ。
【発明の詳細な説明】
【技術分野】
【０００１】
本発明は、筆記具等を含む塗布具を被固定体に固定するための用いる塗布具用クリップに関する。
【背景技術】
【０００２】
従来、筆記具などの塗布具は、服のポケットに塗布具を止めるためにクリップが設けられている。
【０００３】
例えば、実開昭６２−１８５０８８号公報（：特許文献１）、特開２００４−１３０７２８号公報（：特許文献２）には、筆記具のクリップに関して金属線材によって製作したクリップが開示されている。
【０００４】
これらのような構造の線材製クリップでは、厚い物体を挟み付けるのは困難であり、使いにくい。
【０００５】
一方、特開２００７−２５３３２９号公報（：特許文献３）には、板バネを用いたクリップが開示されており、支点がスライドして厚い物体を挟むことを可能にしている。
【先行技術文献】
【特許文献】
【０００６】
【特許文献１】実開昭６２−１８５０８８号公報
【特許文献２】特開２００４−１３０７２８号公報
【特許文献３】特開２００７−２５３３２９号公報
【発明の概要】
【発明が解決しようとする課題】
【０００７】
しかしながら、塗布具のクリップでは、できるだけ構成を簡略にすることが要請されるが、前記引用文献３のような板バネを用いるのはスペースが必要で、コストも高い。
【０００８】
上記の引用文献１〜２のクリップでは、線材を使用するためコストの点を向上させ得るが、従来、線材を用いて厚い物体を挟み込めるクリップが未提案であった。
【０００９】
本発明は、斯かる実情に鑑み、線材を用いて厚い物体を挟み込め、簡単な構成で経済的な塗布具用クリップを提供しようとするものである。
【課題を解決するための手段】
【００１０】
本発明は、線材で構成されたクリップからなる塗布具用クリップにおいて、
前記塗布具の内部には、前記クリップを径方向に移動可能に収容する空間を有し、
前記空間内でクリップが径方向に移動することにより、前記塗布具の外面から露出した部分が前記塗布具の径方向に移動する構造になっていることを特徴とする塗布具用クリップである。
【００１１】
本発明においては、前記塗布具において、クリップを装着する部分が、本体と天冠とを有しており、本体と天冠とで構成される空間がクリップを径方向に移動可能にする空間となっていることが好適である。
【００１２】
また、本発明においては、前記塗布具は、その軸筒の先端に筆記部が設けられ、その筆記部を覆うキャップが前記軸筒に着脱自在に設けられており、
前記キャップの本体と天冠で構成される空間が、クリップを径方向に移動可能にする空間となっていることが好適である。
【００１３】
本発明においては、前記クリップは、端部が複数箇所に分かれており、当該端の一箇所が移動可能に塗布具に装着され、当該端部の他箇所が弾性変形可能に塗布具に装着されていることが好適である。
【発明の効果】
【００１４】
本発明の塗布具用クリップによれば、本体の空間内でクリップが径方向に移動することにより、前記塗布具の外面から露出した部分が前記塗布具の径方向に移動する構造になっているので、クリップの基部付近が大きく開き、厚い対象物も線材製のクリップで挟み付けて塗布具を固定することができるという優れた効果を奏し得る。
【図面の簡単な説明】
【００１５】
【図１】本発明の実施形態に係る塗布具の全体図で、（ａ）がクリップ側からから見た図、（ｂ）がクリップを上方に向けた図、（ｃ）が全体縦断面図である。
【図２】図１の筆記具に設けるキャップの外観図で、（ａ）がクリップ側からの側面図、（ｂ）がクリップを上方に向けた側面図である。
【図３】図２のキャップの縦断面図である。
【図４】図２のキャップにおいて、クリップの後部側が開いた状態の説明図で、（ａ）がクリップを上方に向けた側面図，（ｂ）が縦断面図である。
【図５】図２のキャップにおいて、クリップがキャップ本体に対して平行に開いた状態の説明図であり、（ａ）クリップを上方に向けた側面図，（ｂ）が縦断面図である。
【図６】図２のキャップにおいて、（ａ）がクリップ側からの側面図、（ｂ）がＢ−Ｂ線に沿う横断面図である。
【図７】図２のキャップに設けるクリップの部品図で、（ａ）が取り付け部側からの視図、（ｂ）が平面図、（ｃ）が側面図、（ｄ）が斜視図である。
【図８】変形例１に係るクリップの部品図で、（ａ）が取り付け部側からの視図、（ｂ）が平面図、（ｃ）が側面図、（ｄ）が斜視図である。
【図９】変形例２に係るクリップの部品図で、（ａ）が取り付け部側からの視図、（ｂ）が平面図、（ｃ）が側面図、（ｄ）が斜視図である。
【発明を実施するための形態】
【００１６】
以下、本発明の実施形態を添付図面の参照によって説明する。
【００１７】
図１〜図７は実施形態に係る塗布具とそれに用いるクリップの説明図、図８〜図９は、クリップの変形例１、変形例２の説明図である。
【００１８】
図１に示すように、塗布具に用いるクリップは、塗布具のキャップ１２に設けられて、クリップ１４とキャップ１２との間に衣類のポケットの縁を挟み付けて、当該塗布具を固定するものである。
【００１９】
実施形態に係るクリップは、金属等の線材が曲げ成形されたクリップ１４で構成されたものである。
【００２０】
クリップ１４は、前記塗布具（のキャップ１２）とクリップ板１０を取り付けるためのものである。
【００２１】
〔塗布具の概略構成〕
前記塗布具は、その軸筒１８の先端に筆記部１６が設けられ、その筆記部１６を覆うキャップ１２が前記軸筒１８に着脱自在に設けられている。
【００２２】
前記軸筒１８の先部では、先軸２０になっており、その先軸２０内に、塗布液の一時保留体のコレクター２２と、コレクター２２の先方部で先軸２０の先端に筆記部１６を保持固定するための筆記部保持体２４とが設けられる。
【００２３】
筆記部１６は塗布液誘導用の中芯１６ａを設けた先端がボールのボールペンチップである。もちろん、ボールのかわりに塗布体が露出した筆記チップでもよい。
【００２４】
前記コレクター２２は複数の枚葉体が連続した蛇腹構造であり、中心部を貫通したコレクター芯２２ａが設けられる。
【００２５】
前記軸筒１８の後部には、中空の塗布液タンク２６が構成されており、その塗布液タンク２６の外部を覆って前記先軸２０の後部に後軸２８がネジ嵌合される。前記中芯１６ａの後端部に前記コレクター芯２２ａの前端部が接続しており、塗布液タンク２６内の塗布液が前記コレクター芯２２ａを経由して中芯１６ａに塗布液が導入されるようになっている。
【００２６】
〔キャップ１２〕
図１に示すように、キャップ１２を軸筒１８に装着した時には、当該キャップ１２の外壁を構成する外筒が先軸２０外部に嵌着して固定するようにし、外筒内に位置する内筒が筆記部１６を覆って中芯１６ａの先端の乾燥を防止する。
【００２７】
キャップ１２では、図２〜図３に示すように、外筒(キャップ本体）内に内筒が設けられた二重構造である(外筒及び内筒は同芯状に配置されるのが適切である）。その二重構造のあるキャップ１２の先端部に、クリップ１４によってクリップ板１０を装着している。
【００２８】
なお、図３において、符号１２ｄがクリップ１４を通す孔、１２ｅが外筒、１２ｆが内筒である。
【００２９】
図３に示すように、前記キャップ１２の先端部において、クリップ１４を装着する部分では、外筒(キャップ本体）１２ｅと天冠１２ｂとを有する。クリップ板１０の先方には、天冠１２ｂの概略筒状の固定端が外筒１２ｅの先端部内に嵌着固定されて、外筒１２ｅの先方開口を塞いでいる。外筒１２ｅと天冠１２ｂとの内部と内筒１２ｆ先方部で空間１２ｃが構成される。
【００３０】
キャップ１２先端部の空間１２ｃ内には、内筒１２ｆから棒状に先方部１２ａが延びて形成される。その内筒先方部１２ａ外面と外筒１２ｅ内面との間であって天冠１２ｂで覆われた空間１２ｃには、クリップ１４が移動可能とする空間になるように配置される。
【００３１】
クリップ板１０は、樹脂等で形成され、金属等の線材からなるクリップ１４の直線側(後記Ｕの字形状部１４ａ）が固定され、クリップ１４の屈曲側が前記キャップ１２先端部の空間１２ｃ内に装着する。この場合、空間１２ｃ内に天冠１２ｂ側から後方に向けて板状に延びてキャップ１２に形成された固定部１２ｇにクリップ１４の一部(係止部１４ｄ）が装着されて固定される。
【００３２】
〔クリップ１４〕
図６は、クリップ１４により、クリップ板１０とキャップ１２との取り付け状態を示し、図７は線材からなるクリップ１４を単体で示している。
【００３３】
クリップ１４は、端部が複数箇所に分かれており(両足部１４ｂ、１４ｃ）、当該端の一箇所（一方の足部分１４ｂ）が移動可能にキャップ１２に装着され、当該端部の他箇所（他方の足部分１４ｃ）が弾性変形可能にキャップ１２に装着されている。
【００３４】
具体的には、クリップ１４は、図６、図７に示すよう、弾性力のある金属線材(ＳＵＳ、鋼材等の弾性力のある線材）からなる一体物であり、概略Ｕの字に折り曲げたＵの字形状部分(クリップ板１０への装着部分）１４ａと、Ｕの字形状部分１４ａの開き側の両足部（１４ｂ、１４ｃ）をＵの字に沿う平面に対して直角方向に曲げた形状を呈している。
【００３５】
Ｕ字形状部分１４ａの一方の足部分１４ｂは、直角に曲げたままで先端が切り落とされたように終わる鉤型形状になっている。他方の足部分１４ｃは、その先端を斜めに延ばし、その延ばした先端に長円形状に沿って形成した係止部１４ｄを連続させて曲げ形成したものである。前記Ｕの字形状部分１４ａの長軸と係止部１４ｄの長軸は並行になっている。
【００３６】
クリップ板１０は、樹脂製、金属製，木製等種々であり、図３、図６等に示すように、平坦な形状であって、内部に空間がある。側前記クリップ１４のＵの字形状部分１４ａがクリップ板１０の裏側から空間内部に挿入されて固定されている。もちろんこれは一例であり、意匠的に露出したクリップ板１０の形成、または、クリップ１４のみで構成してもよい。
【００３７】
また、キャップ１２の先端部には、前記空間１２ｃに繋がる孔１２ｄが設けられ、クリップ１４の両足部（一方の足部分１４ｂ、他方の足部分１４ｃ）がその孔１２ｄを挿通される。他方の足部分１４ｃの先端の係止部１４ｄが前記空間１２ｃ内であって、前記内筒先方部１２ａの前記孔１２ｄ反対側に前記係止部１４ｄが回り込んで配置される。
【００３８】
空間１２ｃ内に天冠１２ｂ側から後方に延びて固定部１２ｇが設けられる。この固定部１２ｇと外筒１２ｅの内面(天冠１２ｂ内面）との間に、クリップ１４の係止部１４ｄの先方端が挟み付け装着されて、固定される。クリップ１４に力が加わって変形しようとすると、図５（ｂ）、図６（ｂ）でわかるように、係止部１４ｄの先方端は変形が抑制されるが、後方端は変形して、内筒先方部１２ａに当たって変形が規制される。変形範囲が規制されるので、クリップ１４の変形範囲の規制で、クリップ板１０の開き範囲も規制される。
【００３９】
両足部（一方の足部分１４ｂ、他方の足部分１４ｃ）が孔１２ｄに挿通して、その孔１２ｄの内周壁面に当接して軸方向に係止するので、クリップ板１０がキャップ１２の軸方向に移動するのが規制される。
【００４０】
両足部分は、また、孔１２ｄに対して径方向に移動が許容されるように装着され、前記塗布具のキャップ１２の内部には、前記クリップ１４を径方向に移動可能に収容する空間１２ｃを有している。
【００４１】
そして、前記空間１２ｃ内でクリップ１４が径方向に移動することにより、前記キャップ１２の外面から露出した部分(クリップ板１０とクリップ１４のＵの字形状部分１４ａ、一方の足部分１４ｂ、他方の足部分１４ｃの一部）前記キャップ１２の径方向に移動する構造になっている。
【００４２】
クリップ１４及びクリップ板１０の移動状態を説明する。
【００４３】
まず、服のポケット等の対象物をクリップ１４とキャップ１２との間に挟まない場合は、図２〜図３、図６に示すように、クリップ板１０の内面がキャップ１２の側面に近接または密着する。クリップ１４では、他方の足部分１４ｃから係止部１４ｄにかけての変形が生じない。
【００４４】
そして、対象物をクリップ１４とキャップ１２との間に浅く挟んだ場合は、図４に示すように、クリップ板１０の後端部がキャップ１２の側面から離隔して開く。クリップ１４では、一方の足部分１４ｂと他方の足部分１４ｃが孔１２ｄ付近を起点に曲がり変形し、一方、係止部１４ｄは変形しない。
【００４５】
さらに、対象物をクリップ１４とキャップ１２との間に深く挟んだ場合は、図５に示すように、クリップ板１０の先端部及び後端部の双方がキャップ１２の側面から離隔して（平行状態）に開く。クリップ１４では、一方の足部分１４ｂと他方の足部分１４ｃは曲がり変形せずにキャップ１２の径方向に移動し、一方の足部分１４ｂ先端の係止部１４ｄが変形する。係止部１４ｄにおいては、固定部１２ｇに押さえられた先方側が変形しないが、固定部１２ｇに固定されていない後方側が変形するので、一方の足部分１４ｂが径方向に移動する。
【００４６】
実施形態の塗布具によれば、キャップ１２本体の空間１２ｃ内でクリップ１４が径方向に移動することにより、前記塗布具の外面から露出した部分が前記塗布具の径方向に移動する構造になっているので、厚い対象物も線材のクリップ１４で挟み付けて塗布具を固定できる。
【００４７】
また、クリップ１４自体に支点を設けているので、別の支点を設ける必要がなく、設計への制限が少なく、意匠性を向上させることが容易である。
【００４８】
キャップ１２本体とクリップ板１０内面を密着させることも可能であるので、意匠性の向上に繋がる。
また、固定部分の設計の自由度が向上する。
【００４９】
また、クリップ１４には線材を使用しているので、板バネのコストが高いのに比較して線材とできるのでコスト的に優位である。
【００５０】
また、クリップ板１０を持ち上げた際に線材のクリップ１４では、係止部１４ｄの一部から一方の足部分１４ｂさらにはＵの字形状部分１４ａまでという比較的長いスパンで変形するので応力が分散し集中が起こりにくい。
【００５１】
したがって、クリップ１４は、曲げ部に応力が集中する板バネに比較して応力集中が掛からず、耐久性を向上させるができる。
【００５２】
なお、本発明においては、前記実施形態に限定されないことはもちろんであり、種々に変形実施できる。
【００５３】
実施形態に係る塗布具では、例えば図８に示すような、変形例１に係るクリップ３４を採用できる。なお、図１〜図７に示した実施形態の塗布具の構成(クリップ等）及び取り付けが同様である。
【００５４】
変形例１は、図８に示すように、クリップ３４は、端部が複数箇所に分かれており(両足部３４ｂ、３４ｃ）、当該端の一箇所（他方の足部分３４ｃ）が移動可能にキャップに装着され、当該端部の他箇所（一方の足部分３４ｂ）が弾性変形可能にキャップに装着されるものである。
【００５５】
クリップ３４は、弾性力のある金属線材(ＳＵＳ、鋼材等の弾性力のある線材）からなる一体物であり、概略Ｕの字に折り曲げたＵの字形状部分３４ａと、Ｕの字形状部分３４ａの開き側の両足部（３４ｂ、３４ｃ）をＵの字に沿う平面に対して直角方向に曲げた形状を呈している。Ｕ字形状部分３４ａの一方の足部分３４ｂは、直角に曲げ、その先を異形に捩じったツイスト形状とし、それから先を連続して弧状の係止部３４ｄを設けたものである。他方の足部分３４ｃの先端が切り落とされたように終わる鉤型形状になっている。図８（ｃ）に示すように、係止部３４ｄは一方の足部分３４ｂと同一平面に沿うように形成されている。また、係止部３４ｄのキャップまたは塗布具への固定は、適宜の固定部材によって固定できる。
【００５６】
この変形例１では、係止部３４ｄが一方の足部分３４ｂと同一平面に沿うように曲げ形成されるので、曲げ成形の金型の構成を前記図７のものに比較して簡略化することがきる。
【００５７】
また、実施形態に係る塗布具では、図９に示すような、変形例２に係るクリップ４４を採用できる。なお、図１〜図７に示した実施形態の塗布具の構成(クリップ等）及び取り付けが同様である。
【００５８】
変形例２は、図９に示すように、クリップ４４は、端部が複数箇所に分かれており(両足部４４ｂ、４４ｃ）、当該端の一箇所（他方の足部分４４ｃ）が移動可能にキャップに装着され、当該端部の他箇所（一方の足部分４４ｂ）が弾性変形可能にキャップに装着されるものである。
【００５９】
クリップ４４は、弾性力のある金属線材(ＳＵＳ、鋼材等の弾性力のある線材）からなる一体物であり、概略Ｕの字に折り曲げたＵの字形状部分４４ａと、Ｕの字形状部分４４ａの開き側の両足部（４４ｂ、４４ｃ）をＵの字形状部分４４ａに沿う平面に対して直角方向に曲げた形状を呈している。
Ｕ字形状部分４４ａの一方の足部分４４ｂは、直角に曲げ、その先を異形に捩じって、それから先を連続して螺旋状(コイルスプリング形状）の係止部４４ｄを設けたものである。また、係止部４４ｄのキャップまたは塗布具への固定は、適宜の固定部材によって固定できる。他方の足部分４４ｃの先端が切り落とされたように終わる鉤型形状になっている。
【００６０】
この変形例２では、係止部４４ｄが螺旋状に形成されるので、クリップ４４が変形する際に、図７や図８のクリップ１４、３４が線材の曲げ変形弾性であったのに比較して、螺旋状のスプリング変形弾性であるので、変形力に対抗する弾性力が強く設定でき、耐変形力が高めることができる。
【００６１】
なお、実施形態では、塗布具用クリップをキャップに設けているが、本発明はこれに限定されず、塗布具の軸筒本体にクリップを設ける形態としても良い。
【産業上の利用可能性】
【００６２】
本発明の塗布具用クリップは、筆記具、マーカ、修正具、化粧品等の塗布具のクリップに利用することができる。
【符号の説明】
【００６３】
１０  クリップ板
１２  キャップ
１２ｂ  天冠
１２ｃ  キャップ内の空間
１２ｅ  外筒（キャップ本体）
１４  クリップ
１４ａ  Ｕの字形状部分
１４ｂ  一方の足部分
１４ｃ  他方の足部分
１４ｄ  係止部
１６  筆記部
１８  軸筒
２０  先軸
２２  コレクター
３４  クリップ（変形例１）
４４  クリップ（変形例２）
【図２】
2017024196.tif 000003
【図３】
2017024196.tif 000004
【図４】
2017024196.tif 000005
【図５】
2017024196.tif 000006
【図６】
2017024196.tif 000007
【図７】
2017024196.tif 000008
【図８】
2017024196.tif 000009
【図９】
2017024196.tif 000010
【図１】
2017024196.tif 000011